(57)【特許請求の範囲】
【請求項１】
工事写真連携サーバから図面データを取得する図面データ取得手段と、
前記取得した図面データを表示する図面データ表示手段と、
前記図面データの表示画面上において、撮影ポイントを指定する指定手段と、
少なくとも前記指定手段で撮影ポイントが指定された指定日時と、前記表示した図面データを特定する図面特定情報と、前記指定された位置に対応する指定位置情報とを含む撮影ポイント情報を作成する撮影ポイント情報作成手段と、
前記作成した撮影ポイント情報を特定する特定情報を識別子に変換する変換手段と、
前記変換した識別子を表示する識別子表示手段と、
前記作成した撮影ポイント情報を前記工事写真連携サーバに対して出力する出力手段と、
を具備することを特徴とする工事写真連携補助装置。
【請求項２】
前記識別子表示手段は、前記図面特定情報と前記指定位置情報と、前記指定日時の組を特定情報として識別子に変換する、
ことを特徴とする請求項１に記載の工事写真連携補助装置。
【請求項３】
前記変換手段は、前記識別子として、前記特定情報をコード化した二次元バーコード又は、カラーバーコードに変換する、
ことを特徴とする請求項１、又は請求項２に記載の工事写真連携補助装置。
【請求項４】
図面データを記憶する図面記憶手段と、
請求項１、請求項２、又は請求項３のうちのいずれか１項の請求項に記載の工事写真連携補助装置に対して、前記図面データを出力する出力手段と、
前記工事写真連携補助装置が出力した撮影ポイント情報を取得する撮影ポイント情報取得手段と、
前記撮影ポイント情報を特定する特定情報を変換した識別子の撮影データと、被写体の撮像データとを工事写真データとして撮像装置から取得する工事写真データ取得手段と、  前記取得した各撮影ポイント情報に含まれる指定日時と、前記取得した各工事写真データとの対応を取ることで、前記図面データに前記工事写真データを連携させる連携手段と、
を具備することを特徴とする工事写真連携サーバ。
【請求項５】
前記連携手段は、前記取得した各撮影ポイント情報に含まれる指定日時と、前記取得した各工事写真データの前記識別子の撮影データに含まれる指定日時との対応を取ることで前記図面データに前記工事写真データを連携させる、
ことを特徴とする請求項４に記載の工事写真連携サーバ。
【請求項６】
前記取得した工事写真データに含まれる識別子を逆変換することで特定情報を抽出する特定情報抽出手段を備え、
前記連携手段は、前記抽出した特定情報により、各撮影ポイント情報と各工事写真データとの対応を取ることで、前記図面データに前記工事写真データを連携させる、
ことを特徴とする請求項４、又は請求項５に記載の工事写真連携サーバ。
【請求項７】
工事写真連携サーバから図面データを取得する図面データ取得機能と、
前記取得した図面データを表示する図面データ表示機能と、
前記図面データの表示画面上において、撮影ポイントを指定する指定機能と、
少なくとも前記指定機能で撮影ポイントが指定された指定日時と、前記表示した図面データを特定する図面特定情報と、前記指定された位置に対応する指定位置情報とを含む撮影ポイント情報を作成する撮影ポイント情報作成機能と、
前記作成した撮影ポイント情報を特定する特定情報を識別子に変換する変換機能と、
前記変換した識別子を表示する識別子表示機能と、
前記作成した撮影ポイント情報を前記工事写真連携サーバに対して出力する出力機能と、
をコンピュータに実現させるための工事写真連携補助プログラム。
【請求項８】
請求項１、請求項２、又は請求項３のうちのいずれか１項の請求項に記載の工事写真連携補助装置に対して、図面データを記憶する図面記憶手段から前記図面データを出力する出力機能と、
前記工事写真連携補助装置が出力した撮影ポイント情報を取得する撮影ポイント情報取得機能と、
前記撮影ポイント情報を特定する特定情報を変換した識別子の撮影データと、被写体の撮像データとを工事写真データとして撮像装置から取得する工事写真データ取得機能と、  前記取得した各撮影ポイント情報に含まれる指定日時と、前記取得した各工事写真データとの対応を取ることで、前記図面データに前記工事写真データを連携させる連携機能と、
をコンピュータに実現させるための工事写真連携プログラム。
【発明の詳細な説明】
【技術分野】
【０００１】
本発明は、工事写真連携補助装置、工事写真連携サーバ、工事写真連携補助プログラム、及び工事写真連携プログラムに関し、例えば、工事現場で撮影した工事写真と、撮影した工事現場の図面とを連係させる技術に関する。
【背景技術】
【０００２】
例えば、建築や建設の工事や、土木工事の現場では、工事箇所の説明を記載した小黒板とともにその工事箇所を工事写真としてデジタルカメラ等で撮影する。この工事写真は、工事着手前から施工状況及び完成までの一連の工程や進捗状況を記録すると共に、適正になされていることを証明したりするために使用されている。特に、鉄筋の配設状況や地下処理などの、工事完成後に外面から明視できない箇所の工事写真は、後々の重要な証拠写真となる。
このような工事写真は後日パソコンなどに取り込んで整理することになるが、大量に撮影された工事写真の整理は大変な作業であるため、係る作業を軽減するための技術が特許文献１で提案されている。
この特許文献１では、デジタルカメラを用いて撮影された説明用黒板を含む建設現場の工事写真データをセンターサーバに伝送し、サーバにおいて、工事写真の分類整理及びこの工事写真に対する写真説明用情報の入力作業を、表示部に拡大表示された説明用黒板の記載内容を見ながら行うことで、作業軽減をしている。
【０００３】
しかし、上記特許文献１記載の技術は、工事写真アルバムの作成作業を軽減するものである。このため、工事写真を施工図面に紐付け（関連付け）をすることはできない。
このため、画面に表示した工事写真と施工図面とを人間が目視で確認しながら、手作業で整理しなければならなかった。しかも、施工図面と工事写真との関連づけは、人間が後日写真だけを見て行うため、施工図面と紐付け整理を行うには高度な知識と経験、時間が必要だった。
また、明視できない箇所の工事写真については、工事担当者でも後日整理することが困難になる場合もある。
【先行技術文献】
【特許文献】
【０００４】
【特許文献１】特開２００４−０９４６０５号公報
【発明の概要】
【発明が解決しようとする課題】
【０００５】
本発明は、工事写真データを図面データに連携させて容易に整理することができることを目的とする。
【課題を解決するための手段】
【０００６】
（１）請求項１に記載の発明では、工事写真連携サーバから図面データを取得する図面データ取得手段と、前記取得した図面データを表示する図面データ表示手段と、前記図面データの表示画面上において、撮影ポイントを指定する指定手段と、少なくとも前記指定手段で撮影ポイントが指定された指定日時と、前記表示した図面データを特定する図面特定情報と、前記指定された位置に対応する指定位置情報とを含む撮影ポイント情報を作成する撮影ポイント情報作成手段と、前記作成した撮影ポイント情報を特定する特定情報を識別子に変換する変換手段と、前記変換した識別子を表示する識別子表示手段と、前記作成した撮影ポイント情報を前記工事写真連携サーバに対して出力する出力手段と、を具備することを特徴とする工事写真連携補助装置を提供する。
（２）請求項２に記載の発明では、前記識別子表示手段は、前記図面特定情報と前記指定位置情報と、前記指定日時の組を特定情報として識別子に変換する、ことを特徴とする請求項１に記載の工事写真連携補助装置を提供する。
（３）請求項３に記載の発明では、前記変換手段は、前記識別子として、前記特定情報をコード化した二次元バーコード又は、カラーバーコードに変換する、ことを特徴とする請求項１、又は請求項２に記載の工事写真連携補助装置を提供する。
（４）請求項４に記載の発明では、図面データを記憶する図面記憶手段と、請求項１、請求項２、又は請求項３のうちのいずれか１項の請求項に記載の工事写真連携補助装置に対して、前記図面データを出力する出力手段と、前記工事写真連携補助装置が出力した撮影ポイント情報を取得する撮影ポイント情報取得手段と、前記撮影ポイント情報を特定する特定情報を変換した識別子の撮影データと、被写体の撮像データとを工事写真データとして撮像装置から取得する工事写真データ取得手段と、前記取得した各撮影ポイント情報に含まれる指定日時と、前記取得した各工事写真データとの対応を取ることで、前記図面データに前記工事写真データを連携させる連携手段と、を具備することを特徴とする工事写真連携サーバを提供する。
（５）請求項５に記載の発明では、前記連携手段は、前記取得した各撮影ポイント情報に含まれる指定日時と、前記取得した各工事写真データの前記識別子の撮影データに含まれる指定日時との対応を取ることで前記図面データに前記工事写真データを連携させる、ことを特徴とする請求項４に記載の工事写真連携サーバを提供する。
（６）請求項６に記載の発明では、前記取得した工事写真データに含まれる識別子を逆変換することで特定情報を抽出する特定情報抽出手段を備え、前記連携手段は、前記抽出した特定情報により、各撮影ポイント情報と各工事写真データとの対応を取ることで、前記図面データに前記工事写真データを連携させる、ことを特徴とする請求項４、又は請求項５に記載の工事写真連携サーバを提供する。
（７）請求項７に記載の発明では、工事写真連携サーバから図面データを取得する図面データ取得機能と、前記取得した図面データを表示する図面データ表示機能と、前記図面データの表示画面上において、撮影ポイントを指定する指定機能と、少なくとも前記指定機能で撮影ポイントが指定された指定日時と、前記表示した図面データを特定する図面特定情報と、前記指定された位置に対応する指定位置情報とを含む撮影ポイント情報を作成する撮影ポイント情報作成機能と、前記作成した撮影ポイント情報を特定する特定情報を識別子に変換する変換機能と、前記変換した識別子を表示する識別子表示機能と、前記作成した撮影ポイント情報を前記工事写真連携サーバに対して出力する出力機能と、をコンピュータに実現させるための工事写真連携補助プログラムを提供する。
（８）請求項８に記載の発明では、請求項１、請求項２、又は請求項３のうちのいずれか１項の請求項に記載の工事写真連携補助装置に対して、図面データを記憶する図面記憶手段から前記図面データを出力する出力機能と、前記工事写真連携補助装置が出力した撮影ポイント情報を取得する撮影ポイント情報取得機能と、前記撮影ポイント情報を特定する特定情報を変換した識別子の撮影データと、被写体の撮像データとを工事写真データとして撮像装置から取得する工事写真データ取得機能と、前記取得した各撮影ポイント情報に含まれる指定日時と、前記取得した各工事写真データとの対応を取ることで、前記図面データに前記工事写真データを連携させる連携機能と、をコンピュータに実現させるための工事写真連携プログラムを提供する。
【発明の効果】
【０００７】
本発明によれば、図面データを特定する図面特定情報と図面データの表示画面上において指定された位置に対応する指定位置情報とを含む撮影ポイント情報を変換した識別子により、工事写真データを図面データに連携させて容易に整理することができる。
【図面の簡単な説明】
【０００８】
【図１】図面データに工事写真を連携させる流れを説明するための工事写真連携システムの概要図である。
【図２】工事写真連携サーバの構成図である。
【図３】タブレット端末の構成図である。
【図４】工事写真連携システムによる、図面データに工事写真データを連携させる手順を表したフローチャートである。
【図５】工事写真データを図面データに連携する処理における状態説明図である。
【図６】工事写真データを図面データに連携する処理における他の状態説明図である。
【図７】工事写真データを図面データに連携する処理における更に他の状態説明図である。
【図８】工事写真連携サーバにおける第１のマッチング処理を表したフローチャートである。
【図９】第２のマッチング処理を表したフローチャートである。
【図１０】第２のマッチング処理における各情報の状態説明図である。
【図１１】第３のマッチング処理における各情報の状態説明図である。
【図１２】タブレット端末における撮影ポイントの指定に関する変形例を示した図である。
【図１３】撮影ポイント情報をカラーバーコードに変換する場合についての説明図である。
【図１４】作業者による撮影ポイントの指定に関する変形例についての説明図である。
【発明を実施するための形態】
【０００９】
（１）実施形態の概要
この工事写真連携システム１は、図１に示すように、工事写真連携サーバ２と、工事写真連携補助装置として機能するタブレット端末３と、撮像装置として機能するデジタルカメラ４とから構成されている。
タブレット端末３では、工事写真連携サーバ２からダウンロードした図面データを表示し、作業者によって撮影ポイントが画面上で指定されると、撮影ポイントを特定する撮影ポイント情報を生成して二次元バーコード３５２を表示する。
デジタルカメラ４では、二次元バーコード３５２を撮影し、その後実物（被写体）を撮影して工事写真データを蓄積する。
工事写真連携サーバ２は、タブレット端末３から撮影ポイント情報を、デジタルカメラ４から工事写真データを取得し、撮影ポイントとして指定された図面データ上の位置（指定位置）に、撮影した工事写真データを自動的に連携（リンク）させることで、容易に工事写真の整理を行うことができる。
【００１０】
具体的に説明すると、工事写真の撮影を行う作業者は、工事現場に向かう前に工事写真連携サーバ２から対応する工事現場の図面データをタブレット端末３に取り込み（図１の（１））、タブレット端末３とデジタルカメラ４とを工事現場に持参する。図面データの取り込みは、通信によるダウンロードや、記憶媒体への複写・読み込み等による。
【００１１】
作業者は、現場において、タブレット端末３の表示装置３５に設計図６Ｅを表示し、画面上に表示されているポインタ３５１により撮影ポイントを画面で指定すると（同（２））、指定された撮影ポイントを情報内容とする二次元バーコード３５２が表示装置３５に表示される（同（３））。タブレット端末３では、撮影ポイントが指定された設計図の図面番号（図面特定情報）、指定位置情報、指定日時を撮影ポイント情報として蓄積する。
操作者は、まず先に、タブレット端末３の表示装置３５に表示された二次元バーコード３５２をデジタルカメラ４で撮影する（同（４））。操作者は、引き続いて表示装置３５上で指定した位置に対応する位置から、被写体である実物をデジタルカメラ４で撮影する（同（５））。
更に同一図面、別図面を含め別の撮影ポイントがあれば、操作者は、撮影位置指定、二次元バーコード撮影、二次元バーコードの表示、実物撮影（２）〜（５）を繰り返すことで、工事写真データ（Ｐｈｏｔｏ０１、０２、０３…）を蓄積する。
【００１２】
全ての工事写真の撮影が終わると、工事写真連携サーバ２は、タブレット端末３から操作者が図面上で指定する毎に蓄積した撮影ポイント情報を取得し（同（６））、また、デジタルカメラ４から工事写真データを取得する（同（７））。
工事写真連携サーバ２は、取得した両データの時間軸（指定日時、撮影日時）で工事写真データと撮影ポイント情報とのマッチングにより、両者を連携させる。
【００１３】
このように、工事写真連携システム１では、タブレット端末３に表示した設計図面上で撮影ポイントを指定することで、撮影ポイントの情報を二次元バーコード化して画面表示し、デジタルカメラ４では二次元バーコード３５２を撮影したあとに、撮影ポイントとなる実物（被写体）を撮影することで、設計図面と工事写真とが撮影ポイント情報を介して自動的にマッチングされるので、工事写真の整理が容易になる。
【００１４】
（２）実施形態の詳細
図２は、工事写真連携サーバ２の構成を示した図である。
工事写真連携サーバ２は、ＣＰＵ２１、ＲＯＭ２２、ＲＡＭ２３、通信装置２４、表示装置２５、入力装置２６、記憶装置２７、時計２８を備えている。
ＣＰＵ２１は、記憶装置２７に記憶されている図面・工事写真連携プログラム２７１等の各種プログラムに従って情報処理を行ったり、工事写真連携サーバ２の各部を制御したりする中央処理装置である。
ＲＯＭ２２は、工事写真連携サーバ２が動作するための基本的なプログラムやパラメータを記憶した読み取り専用のメモリである。
ＲＡＭ２３は、ＣＰＵ２１が図面管理処理などを行う際にワーキングメモリを提供する読み書きが可能なメモリである。
【００１５】
通信装置２４は、工事写真連携サーバ２をインターネットなどのネットワークに接続するインターフェースである。通信装置２４は、Ｗｉ−ＦｉやＷｉＭＡＸ等の無線ＬＡＮを使用して直接、又はインターネットを介して工事写真連携サーバ２に接続する構成でもよい。
工事写真連携サーバ２は、通信装置２４を介して、撮影する工事現場に対応する図面データをタブレット端末３に送信したり、タブレット端末３で蓄積した撮影ポイントデータをタブレット端末３から受信したりする。
なお、図面には表示していないが、工事写真連携サーバ２とタブレット端末３との間での、図面データと撮影ポイントデータの受け渡しは、ネットワークを介する場合だけでなく、ＵＳＢメモリ等の半導体メモリなど各種外部記憶媒体への書き込み、読み出しにより行うようにしてもよい。また、工事写真連携サーバ２とタブレット端末３間をＵＳＢケーブル等の通信ケーブルを接続することで、図面データと撮影ポイントデータの受け渡しを行うようにしてもよい。
【００１６】
表示装置２５は、例えば、液晶ディスプレイなどの表示デバイスを備えており、図面データから設計図等を表示したり、当該設計図にリンク（連携）されている工事写真を表示したりする。
入力装置２６は、例えば、キーボードやマウスなどの入力デバイスを備えており、作業者からの操作を受け付ける。
【００１７】
記憶装置２７は、ハードディスクなどの大容量の記憶媒体で構成されており、図面・工事写真連携プログラム２７１、図面ＤＢ（データベース）２７２、連携工事写真データ２７３、作業者ＤＢ２７４を記憶している。
図面・工事写真連携プログラム２７１は、図面データと工事写真との連携を行うプログラムである。
図面ＤＢ（データベース）２７２は、建設、建築工事や土木工事などの各種工事を行うための設計図等からなる図面データを記憶する。
連携工事写真データ２７３は、図面ＤＢ２７２に記憶している各種図面データにリンク（連携）されている工事写真データや撮影ポイントを示す設計図上の指定位置情報、指定日時などの各種情報が記憶される。
作業者ＤＢ２７４には、タブレット端末３及びデジタルカメラ４の操作を行う作業者を認証するための情報が記憶されている。
【００１８】
時計２８は、年月日及び時刻を出力する。本実施形態では設計図の表示画面上で撮影ポイントを指定した指定日時としてタブレット端末３の時計３８（後述）を使用するが、工事写真連携システム１の時計２８の日時（サーバ）を図面データと共にタブレット端末３に送信するようにし、タブレット端末３では受信した日時（サーバ）を使用して、自己の時計３８で計測した日時（タブレット）を修正して指定日時としてもよい。
【００１９】
図３は、タブレット端末３の構成を示した図である。
タブレット端末３は、ＣＰＵ３１、ＲＯＭ３２、ＲＡＭ３３、通信装置３４、表示装置３５、入力装置３６、記憶装置３７、時計３８などを備えている。
なおタブレット端末３は、これらＣＰＵ３１等の構成を備えていて、工事現場に携帯することができれば他の携帯端末であってもよい。例えば、ノートパソコンの使用や、携帯電話やスマートフォン（多機能型携帯電話）など、の何れを使用することも可能である。
【００２０】
ＣＰＵ３１は、各種プログラムに従って情報処理を行ったり、タブレット端末３の各部を制御したりする中央処理装置である。
ＲＯＭ３２は、タブレット端末３が動作するための基本的なプログラムやパラメータを記憶した読み取り専用のメモリである。
ＲＡＭ３３は、例えば、ＣＰＵ３１が図面データを画面表示したり、表示中の図面番号や、表示画面上で指定された撮影ポイントに対応する表示図面上の位置情報（指定位置情報）や指定日時を撮影ポイント情報として一時記憶したりする際にワーキングメモリを提供する読み書きが可能なメモリである。
【００２１】
通信装置３４は、タブレット端末３をインターネットなどのネットワークに接続するインターフェースである。
タブレット端末３は、通信装置３４を介して、工事写真連携サーバ２から工事現場に対応する設計図の図面データを受信したり、工事写真連携サーバ２に撮影ポイント情報を送信したりすることができる。
なお、上述したように、タブレット端末３と工事写真連携サーバ２との間での、図面データと撮影ポイントデータの受け渡しは、ネットワークを介する場合だけでなく、ＵＳＢメモリ等の半導体メモリなど各種外部記憶媒体への書き込み、読み出しにより行うようにしてもよい。
【００２２】
表示装置３５は、例えば、液晶ディスプレイなどの表示デバイスを備えており、図面データから設計図を画面表示すると共に、撮影ポイントを指定するポインタ３５１や、撮影ポイントの指定による二次元バーコード３５２を表示したり、操作用のアイコンなどの各種画像を表示したりする。
入力装置３６は、タッチパネルを備えており、作業者からの手書きによる入力を受け付ける。
タッチパネルと表示装置３５の表示画面とは、座標軸によって対応づけられており、表示画面上で指定された撮影ポイントに対応する表示図面上の位置情報（指定位置情報）が取得される。
作業者は、タッチパネルを指先やスタイラスペンなどで触れることにより、撮影ポイントを指定したり、タブレット端末３の操作を行ったりすることができる。
【００２３】
記憶装置３７は、例えば、ハードディスクやＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの大容量の記憶媒体を備えており、本実施形態における、設計図を画面表示したり撮影ポインタの指定に対応して二次元バーコード３５２を表示したりする図面表示プログラム３７１や、工事写真連携サーバ２に要求することで送信される図面データ３７２、撮影ポイントが表示画面上で指定される毎に蓄積される撮影ポイント情報３７３等が記憶される。なお、図面表示プログラム３７１は、特定の情報を二次元バーコードにエンコード（変換）する機能を備えているが、このエンコード機能についてはサブルーチン化したり、別のプログラムとして保存したりするようにしてもよい。
時計３８は、日時（年月日及び時刻）を出力する。撮影ポイントが指定された際に時計３８から出力される日時が、撮影ポイント情報３７３の指定日時として記憶される。
【００２４】
デジタルカメラ４の構成については特に図示しないが、静止画像の撮影機能と、撮影日時や撮影順序を知る為の属性情報保存機能、及び、これら撮影した工事写真データを外部に出力する機能を備えていれば、携帯電話やビデオカメラ等の各種撮像機器を使用するようにしてもよい。
工事写真データの出力機能については、ＵＳＢメモリ等の半導体メモリなど各種外部記憶媒体を介して出力する場合、工事写真連携サーバ２に接続したＵＳＢケーブル等の通信ケーブルを介して出力する場合、Ｗｉ−ＦｉやＷｉＭＡＸ等の無線ＬＡＮを使用して直接、又はインターネットを介して出力する場合等の、何れかの出力機能を備えていればよい。
なお、表示装置については無くてもよいが、撮影が成功したか失敗（ピントズレ等）したかを確認し、失敗の場合に撮り直しをするために備えていることが好ましい。
また、二次元バーコード３５２の認識機能について、備えていてもよいが、認識は工事写真連携サーバ２が行うため特に備えている必要はない。
本実施形態では、市販されている一般のデジタルカメラ４が使用される。
【００２５】
次に、以上の通り構成された工事写真連携システム１による図面データと工事写真データとの連携処理について説明する。
図４は、工事写真連携システム１による、工事写真データを図面データに連携する手順を説明するためのフローチャートである。図５〜図７は、当該処理手順の各段階における処理を説明するための図である。
以下の処理は、各タブレット端末３に関しては、タブレット端末３のＣＰＵ３１が図面表示プログラムに従って行い、工事写真連携サーバ２に関しては、ＣＰＵ２１が図面・工事写真連携プログラムに従って行うものである。
【００２６】
まず、工事写真の撮影を行う作業者は、タブレット端末３とデジタルカメラ４を準備し、工事現場に向かう前に又は工事現場において、これから工事写真を撮影する工事現場に対応する図面データを工事写真連携サーバ２から取得する。
すなわち、タブレット端末３の図面承認プログラムを起動すると、タブレット端末３は、通信装置３４を介して工事写真連携サーバ２にアクセスし、工事写真連携サーバ２から認証を受ける。この認証は、作業者のＩＤ情報とパスワードを用いて行われ、工事写真連携サーバ２は、タブレット端末３から送信されるＩＤ情報とパスワードが、作業者ＤＢ２７４に登録済みのものと一致するか否かにより承認者の認証と特定をし、認証が成功すると、工事写真連携サーバ２は、タブレット端末３からのアクセスを受け付ける。
【００２７】
なお、この認証においては、ＩＤ情報とパスワードのほかに、使用するタブレット端末３の端末ＩＤを使用するようにしてもよい。
この場合、タブレット端末３は、保存されている自己の端末ＩＤを読み出し、ＩＤ情報等と共に工事写真連携サーバ２に送信する。工事写真連携サーバ２では、作業者ＤＢ２７４に加え、端末ＩＤも登録しており、作業者のＩＤ情報、パスワード及び端末ＩＤの全てが登録済みのものと一致した場合にだけ認証を成功させる。
【００２８】
そして、タブレット端末３が、図面ファイル名（図番）等を指定することで、これから撮影する工事現場に対応する図面データ（設計図）を要求すると（ステップ１１）、工事写真連携サーバ２は、図５の処理（１）で示すように、指定された図面ファイル名の図面データを図面ＤＢ２７２から読み出し、タブレット端末３に送信する（ステップ１２）。
【００２９】
工事写真連携サーバ２から図面データが送信されると、タブレット端末３は、受信した図面データを記憶装置３７に図面データ３７２として保存する（ステップ１３）。
そして、工事写真を撮影する工事現場における作業者の画面操作により、タブレット端末３は、図面データ３７２の中からこれから撮影する工事写真に対応する設計図６Ｅを表示装置３５に表示する（ステップ１４、図５参照）。
作業者は、設計図６Ｅの表示画面と工事現場とを確認し、デジタルカメラ４で撮影する箇所に対応する設計図６Ｅ上での位置を撮影ポイントとして、ポインタ３５１で指定する（ステップ１５、図５の処理（２））。
【００３０】
ポインタ３５１で撮影ポイントが指定されると、タブレット端末３は、指定された箇所（指定位置）を認識して撮影ポイント情報を作成し、作成した撮影ポイント情報を特定する特定情報を二次元バーコード３５２に変換（エンコード）して表示装置３５に画面表示する（ステップ１６、図５の処理（３））。
作成する撮影ポイント情報は、指定日時（撮影ポイントをポインタ３５１で指定した日時）、指定された際に表示していた設計図の図面番号（Ｎｏ）、及び指定位置情報（表示装置３５に表示した設計図に対する画面上の位置座標値）で構成され、後日図面・工事写真連携処理において、図面番号と指定位置情報とにより図面データ上の指定位置に工事写真がリンク（連携）されることになる。
一方、二次元バーコード３５２への変換対象である、撮影ポイント情報を特定する特定情報としては、指定日時、図面Ｎｏと指定位置情報、各撮影ポイント情報を区別する区別番号のうちの何れか１つでも、複数の組合せでもよいが、本実施形態では、撮影ポイント情報を特定情報として二次元バーコード３５２に変換する場合を例に説明する。従って、特に区別が必要な場合を除いて、特定情報＝撮影ポイント情報として説明し、撮影ポイント情報の二次元バーコード３５２への変換は特定情報の変換を意味するものとする。
【００３１】
ここで、二次元バーコード３５２を表示する場合、タブレット端末３は、図５に示すように、撮影ポイントを指定した際に表示していた表示画面（設計図６Ｅ）の上に重ねて表示する。二次元バーコード３５２は、ポインタ３５１で指定された撮影ポイント（指定位置）に表示する。なお、指定位置に二次元バーコード３５２を表示すると画面からはみ出す場合には、はみ出さない位置までずらして表示する。
このように、指定された撮影ポイントに二次元バーコード３５２を表示することで、この後作業者が工事写真を撮影する場合において設計図６Ｅと撮影ポイントとの関係を表示装置３５で確認できるので好ましい。
但し、表示する二次元バーコード３５２の中に撮影ポイントに関する必要な情報が入っているので、必ずしも撮影ポイントに表示する必要はない。例えば、デジタルカメラ４による撮影し易さの観点から、二次元バーコード３５２を表示装置３５の画面中央に表示するようにしてもよい。この場合、設計図６Ｅは表示したままその上に二次元バーコード３５２を重ねて表示してもよい。更に認識率を高めるために設計図６Ｅを表示せず二次元バーコード３５２だけを画面中央に表示するようにしてもよい。
【００３２】
タブレット端末３は、上述の二次元バーコード３５２を画面表示とともに、作成した撮影ポイント情報を記憶装置３７に保存する（ステップ１７）。
【００３３】
一方、作業者は、表示装置３５に表示された二次元バーコード３５２を、デジタルカメラ４で撮影し（ステップ１８、図６の処理（４））、引き続き被写体である実物５を撮影する（ステップ１９、図６の処理（５））。
さらに、指定した撮影ポイントに対応する工事写真の撮影が終了すると、作業者は、タブレット端末３を確認し、現在表示中の設計図６Ｅに対応して他の撮影ポイントがあれば、画面操作により二次元バーコード３５２の表示をポインタ３５１に戻し、他の撮影ポイントを指定する。
タブレット端末３は、他の撮影ポイントが指定されると（ステップ２０；Ｙ）、ステップ１６に戻り、二次元バーコード３５２の表示（ステップ１６）と撮影ポイント情報の蓄積、保存（ステップ１７）を行う。
一方、操作者は他の撮影ポイントを指定した場合（ステップ２０；Ｙ、ステップ２１；Ｙ）、ステップ１８に戻り、二次元バーコード３５２の撮影（ステップ１８）と被写体である実物の撮影（ステップ１９）を繰り返す。
【００３４】
表示装置３５に表示している設計図６Ｅに対応する工事写真の撮影が完了し、他の撮影ポイントが無い場合（ステップ２０；Ｎ）、ステップ１３で取得して図面データ３７２に保存した図面データに、他の図面（設計図面）があり（ステップ２２；Ｙ）、作業者の操作により、他の図面の表示処理が指示されると、タブレット端末３（作業者）は、ステップ１４に戻って選択された設計図を表示画面に表示し、以後の処理を繰り返す。
同様に、デジタルカメラ４（作業者）においても、他の図面が有る場合（ステップ２２；Ｙ）には他の撮影があると判断し（ステップ２１）、表示された二次元バーコード３５２の撮影（ステップ１８）と実物５の撮影（ステップ１９）を繰り返す。
このようにデジタルカメラ４では、二次元バーコード３５２と実物５の撮影を繰り返すことで、図６に示すように、工事写真データが順次蓄積されていく。この工事写真データとしては、撮影日時（写真属性情報）と「ファイル名Ｐｈｏｔｏ××.ｊｐｇ」で保存される工事写真データから構成される。
なお、工事写真データ上は区別できないが、図６に示した例では、Ｐｈｏｔｏ０１.ｊｐｇ（以下Ｐ０１と省略して表記する。他も同じ。）が二次元バーコード３５２の撮影画像で、それに続くＰ０２、Ｐ０３が実物の工事写真である。この場合撮影ポイントに対して２回撮影が行われている。そして、Ｐ０４が二次元バーコード３５２で、これに続くＰ０５が実物の工事写真である。
【００３５】
工事写真連携サーバ２から取得した図面データに対応する全ての工事写真の撮影が終了し、表示する他の図面がなければ（ステップ２２；Ｎ）、タブレット端末３は記憶装置３７に蓄積した撮影ポイント情報３７３を工事写真連携サーバ２に送信し（ステップ２３、図７の処理（６））、処理を終了する。
また、この場合デジタルカメラ４は、他の撮影が無いと判断できるので（ステップ２１；Ｎ）、撮影した工事写真データを工事写真連携サーバ２に送信し（ステップ２４、図７の処理（７））、処理を終了する。なお、工事写真データの送信については、デジタルカメラ４が備える機能により行う。例えば、ＵＳＢケーブル等の各種ケーブル接続により行う場合、ＵＳＢメモリやＳＤカードメモリ等の各種半導体メモリを介して行う場合、無線通信によりインターネットを介して行う場合などがある。
【００３６】
工事写真連携サーバ２では、受信した撮影ポイント情報３７３と工事写真データを受信すると、両者のマッチング処理を行う（ステップ２５、図７の処理（８））。マッチング処理については、次に説明する第１のマッチング処理〜第３の各マッチング処理のうちの何れかの方法による。
図８は、工事写真連携サーバ２における第１のマッチング処理の内容を表したフローチャートである。
前提として、図７に示すように、受信した撮影ポイント情報は指定日時が早い順にソートされ、工事写真データは撮影日時が早い順にソートされているものとし、そうでない場合には工事写真連携サーバ２が受信した際にソートするものとし、日時が早いものから順に取得するものとする。また、図７では、撮影ポイント情報と工事写真データの各々に符号ａ、ｂ、ｃ、を付しているが、これは、説明の都合上付したものであり、タブレット端末３、デジタルカメラ４から受信する撮影ポイント情報、工事写真データを構成するものではない。
以上については、後述する第２、第３のマッチング処理についても同様である。
【００３７】
工事写真連携サーバ２は、撮影ポイント情報を２つ取得する（ステップ３１）。図７の例では、撮影ポイント情報ａとｂを取得する。
また工事写真連携サーバ２は、工事写真データを１つ取得する（ステップ３２）。図７の例では、工事写真データａを取得する。
【００３８】
そして工事写真連携サーバ２は、２つの撮影ポイント情報の指定日時ｔ１、ｔ２と、工事写真データの撮影日時ｔ３を比較する（ステップ３３）。
図７の例では、先の撮影ポイント情報ａの指定日時ｔ１（＝２０１１／０７／１４／１５：２０：４５）、次の撮影ポイント情報ｂの指定日時ｔ２（＝２０１１／０７／１４／１５：２７：００）と、工事写真データａの撮影日時ｔ３（＝２０１１／０７／１４／１５：２１：５０）を比較する。
【００３９】
撮影日時ｔ３が、指定日時ｔ１とｔ２の間にある場合（ステップ３４；Ｙ）、工事写真連携サーバ２は、指定日時が先である撮影ポイント情報に工事写真データをリンク（連携）させ、記憶装置２７の連携工事写真データ２７３に保存する（ステップ３５）。
図７の例では、工事写真データａ、ｂ、ｃの撮影日時ｔ３は、両指定日時ｔ１とｔ２の間にあるので、先に指定されている撮影ポイント情報ａに工事写真データａ、ｂ、ｃをリンクさせる。この場合、撮影ポイント情報に最初にリンクさせた工事写真データａは、二次元バーコード３５２を撮影した写真に該当し、その後にリンクさせた工事写真データｂ、ｃが被写体である実物５を撮影した写真に該当する。
その後工事写真連携サーバ２は、次の工事写真データがあるか否かを判断し（ステップ３６）、ある場合には（ステップ３６；Ｙ）、工事写真連携サーバ２は、ステップ３２に戻り、工事写真データの取得とリンクを行う。
【００４０】
なお、図７では連携工事写真データ２７３に示すように、撮影ポイント情報（指定日時、図面Ｎｏ、指定位置情報）に全ての工事写真データをリンクさせているのではなく、ファイル名（Ｐｈｏｔｏ０１．ｊｐｇ等）をリンクする場合について示しているが、全ての工事写真データをリンクさせるようにしてもよい。
また、撮影ポイント情報の内容としてファイル名（Ｐｈｏｔｏ０１．ｊｐｇ等）の画像データそのものを取り込むようにしてもよく、また撮影日時を含めた全ての工事写真データを撮影ポイント情報に取り込むようにしてもよい（以下同じ）。
更に、図７では、二次元バーコード３５２の写真（Ｐｈｏｔｏ０１．ｊｐｇ、Ｐｈｏｔｏ０４．ｊｐｇ等）も連携工事写真データ２７３に保存する場合について表示しているが、二次元バーコード３５２の写真は保存対象外としてもよい。この場合、後述するステップ３７は不要になり、ステップ３４；Ｎに引き続きステップ３８の判断を行うことになる。
【００４１】
一方、撮影日時ｔ３が、指定日時ｔ１とｔ２の間にない場合（ステップ３４；Ｎ）、工事写真連携サーバ２は、指定日時が後である撮影ポイント情報に、工事写真データをリンクさせて、連携工事写真データ２７３に保存する（ステップ３７）。
図７の例では、工事写真データｄの撮影日時ｔ３は、撮影ポイント情報ａ、ｂの両指定日時ｔ１、ｔ２の間にないので、後の撮影ポイント情報ｂに工事写真データｄをリンクする。このようにステップ３７で、後の撮影ポイント情報にリンクさせる工事写真データでは、二次元バーコード３５２の写真である。
【００４２】
なお、本実施形態では、撮影日時ｔ３が、指定日時ｔ１とｔ２の間にないことを条件に、指定日時が後の撮影ポイント情報に工事写真データをリンクさせているが、正しいリンクかを検証するようにしてもよい。すなわち、工事写真連携サーバ２は、当該工事写真データに対して二次元バーコードのデコード（逆変換）処理を行い、撮影ポイント情報を認識することができ、かつ、認識した撮影ポイント情報が、指定日が後である撮影ポイント情報と一致する場合に、当該工事写真データをリンクさせるようにしてもよい。
【００４３】
工事写真データを後の撮影ポイント情報にリンクさせた場合、工事写真連携サーバ２は、次の撮影ポイント情報があるか否かを判断する（ステップ３８）。
次の撮影ポイント情報がある場合（ステップ３８；Ｙ）、工事写真連携サーバ２は、次の撮影ポイント情報を取得し、比較対象となる撮影ポイント情報を変更する（ステップ３９）。
図７の例では、撮影ポイント情報ａ、ｂのうち、後の撮影ポイント情報ｂに工事写真データｄをリンクさせた場合、次の撮影ポイント情報ｃを取得し、比較対象を撮影ポイント情報ａ、ｂから、撮影ポイント情報ｂ、ｃに変更する。これにより、指定日時ｔ１、ｔ２についても、変更後の撮影ポイント情報ｂの指定日時がｔ１に、撮影ポイント情報ｃの指定日時がｔ２に変更される。
【００４４】
比較対象となる撮影ポイント情報を変更（ステップ３９）した後、工事写真連携サーバ２は、ステップ３６に移行して次の工事写真データがあるか否かを判断する。
次の工事写真データが無い場合（ステップ３６；Ｙ）、これはタブレット端末３上で撮影ポイントを指定したが、二次元バーコード３５２及び対応する実物５の撮影を行わずに作業を終了した場合等が該当し、この場合には撮影済みの全工事写真データについて、リンクによる連携工事写真データ２７３への保存が終了しているので、メインルーチンにリターンする。
一方、次の工事写真データがあれば（ステップ３６；Ｙ）、工事写真連携サーバ２は、ステップ３２に戻り次の工事写真データのリンク先の決定及びリンクによる保存を行う。
【００４５】
ステップ３８において、次の撮影ポイント情報が無い場合（ステップ３８；Ｎ）、工事写真連携サーバ２は、残りの工事写真データを全て後の撮影ポイント情報にリンクさせて、連携工事写真データ２７３に保存し（ステップ４０）、メインルーチンにリターンする。
以上の処理により、図７の処理（８）に示すように、撮影ポイント情報と工事写真データとのリンクが完了し、連携工事写真データ２７３が記憶装置２７に保存される。
この連携工事写真データ２７３により、図面Ｎｏと指定位置情報を介して、図面データ（各設計図）と各工事写真データ（又は、工事写真のファイル名）とが連携（リンク）されることになる。
【００４６】
従って、図面データ（設計図）を表示装置に表示する場合、指定位置情報が指定する表示画面上の位置に、工事写真データがリンクされていることを示す工事写真アイコンを表示するようにしてもよい。
そして、工事写真アイコンがクリック（選択）されると、当該工事写真アイコンにリンクしている工事写真データを読み出し、画面表示する。
なお、以上の図面データへの工事写真アイコンの表示や、リンクした工事写真データの表示処理については、工事写真連携サーバ２で行うだけでなく、パーソナルコンピュータやタブレット端末等の端末装置においても同様に行うことができる。この場合、工事写真連携サーバ２は、端末装置から要求された図面データに加えて、当該図面データにリンクした連携工事写真データも送信する。
工事写真連携サーバ２及び端末装置では、図面データを表示すると共に、連携工事写真データの図面Ｎｏと指定位置情報とから工事写真アイコンを上に重ねて表示し、更に、工事写真アイコンが選択された場合に、リンクした工事写真データを表示するための、図面、工事写真表示プログラムを備える。
【００４７】
次に第２のマッチング処理について図９のフローチャート、及び図１０の各情報の状態説明図を参照して説明する。
第１のマッチング処理では、指定日時ｔ１、ｔ２と撮影日時ｔ３との関係から撮影ポイント情報と工事写真データとをリンクさせる場合について説明した。
これに対して、第２のマッチング処理では、全工事写真データをデコードすることで二次元バーコード３５２を認識して指定日時を抽出し、抽出した指定日時と一致する指定日時をもつ撮影ポイント情報にリンクさせるものである。
【００４８】
第１のマッチング処理の場合、タブレット端末３から受信した指定日時ｔ１、ｔ２と工事写真データの撮影日時ｔ３とを比較することでマッチングを行っているため、タブレット端末３の時計３８とデジタルカメラ４の撮影日時を取得するための時計とが、大きくずれている場合には、マッチングミスを生じてしまうことになる。
これに対して第２のマッチング処理では、撮影ポイント情報の指定日時と比較するのは、二次元バーコード３５２を認識することで抽出した指定日時であるため、タブレット端末３の時計とデジタルカメラ４の時計とが大きくずれていたとしても、マッチング処理を正確に行うことができる。なお、各工事写真データについては、デジタルカメラ４の時計のずれ量とは関係なく、撮影した順番に撮影時刻が記録される（絶対的な日時はずれていても、撮影した順番に正しく記録される）ので、認識できなかった工事写真データのリンクは正確に行うことが可能になる。
以上の点は後述する第３のマッチング処理についても同様である。
【００４９】
工事写真連携サーバ２は、デジタルカメラ４から取得した工事写真データのなかから撮影時間軸順に工事写真データを１つ取得し（ステップ４１）、当該工事写真データをデコードして二次元バーコード３５２を認識する（ステップ４２）。
そして工事写真連携サーバ２は、二次元バーコード３５２の認識に成功した場合（ステップ４３；Ｙ）、認識した情報から指定日時を抽出する（ステップ４４、図１０の処理（８−１）抽出）。
さらに工事写真連携サーバ２は、抽出した指定日時で撮影ポイント情報の指定日時とのマッチングにより、抽出した指定日時と一致する指定日時をもつ撮影ポイント情報を特定する（ステップ４５、図１０の処理（８−２）マッチング）。
そして工事写真連携サーバ２は、認識に成功した工事写真データ（実際は二次元バーコード３５２の写真）を、マッチング（特定）した撮影ポイント情報にリンクさせる（ステップ４６）。
【００５０】
工事写真連携サーバ２は、次の（未だ認識していない）工事写真データがあるか否かを判断し（ステップ４７）、ある場合には（ステップ４７；Ｙ）、ステップ４１に戻り次の工事写真データを取得し、二次元バーコード３５２の認識を行う（ステップ４２）。
そして、二次元バーコード３５２の認識に失敗した場合（ステップ４３；Ｎ）、当該工事写真データを、直前に認識が成功した工事写真データと同じ撮影ポイント情報にリンクさせ（ステップ４８）、ステップ４７に移行する。
次の工事写真データがない場合、すなわち全ての工事写真データに対するリンク処理が終了した場合（ステップ４７；Ｎ）、工事写真連携サーバ２はメインルーチンにリターンする。
以上の処理により、図１０の処理（８）に示すように、撮影ポイント情報と工事写真データとのリンクが完了し、連携工事写真データ２７３が記憶装置２７に保存される。
【００５１】
以上説明した第２のマッチング処理では、二次元バーコード３５２から指定日時を抽出したが、撮影ポイント情報との対応を特定できる情報であれば他の情報であってもよい。例えば、図面Ｎｏと指定位置情報の組を抽出して撮影ポイント情報とマッチングするようにしてもよい。
また、タブレット端末３において、撮影ポイント情報を特定する特定情報＝撮影ポイント情報とし、指定日時、図面Ｎｏ、指定位置情報の全てを二次元バーコード３５２への変換対象としたが、第２のマッチング処理及び上記変形例の場合、各撮影ポイント情報のうちの何れかを特定することができる情報だけを特定情報として二次元バーコード化すれば充分である。例えば、指定日時だけ、図面Ｎｏと指定位置情報の組だけを特定情報として二次元バーコード３５２に変換するようにしてもよい。
更に、各撮影ポイント情報を区別する区別情報、例えば、図７、図１０に示したａ、ｂ、ｃ…等を含めて撮影ポイント情報を作成し、この区別情報を特定情報として二次元バーコード３５２に変換するようにしてもよい。この場合、工事写真連携サーバ２におけるマッチング処理（図面・工事写真連携処理）では、工事写真データのデコードにより認識した区別情報と撮影ポイント情報の区別情報とを比較することで、対応する撮影ポイント情報の特定とリンクを行う。
【００５２】
次に第３のマッチング処理について説明する。
第１及び第２のマッチング処理ではタブレット端末３から受信した撮影ポイント情報と、デジタルカメラ４から受信した工事写真データとをマッチングさせる場合について説明した。
これに対して、第３のマッチング処理では、タブレット端末３から撮影ポイント情報を受信せず、デジタルカメラ４から受信した工事写真データから撮影ポイント情報を抽出することで、工事写真データのマッチングを行うものである。
第３のマッチング処理を採用する場合、撮影ポイント情報の全て（指定日時、図面Ｎｏ、指定位置情報）を二次元バーコード３５２に変換する。
【００５３】
図１１は、第３のマッチング処理における各情報の状態を表した図である。
図１１に示すように、工事写真連携サーバ２は、第２のマッチング処理におけるステップ４１、４２と同様にして、工事写真データを１つずつ取得し、二次元バーコード３５２を認識する。
そして、二次元バーコード３５２を認識できた場合、工事写真連携サーバ２は、撮影ポイント情報の全て（指定日時、図面Ｎｏ、指定位置情報）を抽出する（図１１の処理（８−１）抽出）。
一方、二次元バーコード３５２を認識できなかった場合、工事写真連携サーバ２は、直前に認識が成功して抽出した撮影ポイント情報にリンクさせる。
以上の処理を全工事写真データに対して行うことにより、図１１の処理（８）に示すように、撮影ポイント情報と工事写真データとのリンクが完了し、連携工事写真データ２７３が記憶装置２７に保存される。
なお、第３のマッチング処理を採用する場合、タブレット端末３における、撮影ポイント情報を記憶装置３７に保存する処理（図４のステップ１７）と、撮影ポイント情報３７３を工事写真連携サーバ２に送信する処理（同ステップ２３）については不要である。
【００５４】
次に、タブレット端末３における撮影ポイントの指定に関する変形例について図１２を参照して説明する。
説明した実施形態では、ポインタ３５１で撮影ポイントを指定することで、表示中の図面データ（設計図）上の位置を指定位置情報とした。この場合の指定位置情報は、撮影方向については決められておらず、画面に表示されている設計図（例えば設計図６Ｅ）の方向ということになる。
これに対して本変形例では、撮影位置情報に加えて撮影方向も撮影ポイント情報に加えることで、図面データと工事写真データとの関係をより詳細に規定することができる。
【００５５】
すなわち、図１２（ａ)に示すように、ポインタ３５１により画面上で撮影ポイントが指定、又は、撮影ポイントにおいてタッチパネルが長押しされると、タブレット端末３は、図１２（ｂ）に示すように、撮影方向を選択するための８本の方向指定矢印３５３を指定位置に表示する。
作業者は表示された８本の方向指定矢印３５３の何れかを選択することで、撮影の方向を決定することができる。
タブレット端末３は、方向指定矢印３５３の何れかが選択されると、図１２（ｃ）に示すように、撮影ポイントに対応する二次元バーコード３５２を重ねて表示する。
また、タブレット端末３は、指定日時、図面Ｎｏ、指定位置情報に加えて、選択された撮影方向を撮影方向情報として撮影ポイント情報３７３に蓄積する。撮影方向情報としては、図１２（ｂ）の方向指定矢印３５３に合わせて、右回りに、０度（画面上方向）、４５度、９０度（画面右方向）、１３５度、１８０度（画面下方向）、２２５度、２７０度（画面左方向）、３１５度の何れかが撮影ポイント情報３７３に蓄積される。但し、撮影方向情報として実際の角度を蓄積するのではなく、図１２（ｂ）に示した８方向のうちの何れの方向が選択されたかを示す情報（例えば、画面上方向をＡとし右回りにＢ、Ｃ、…Ｈ）を撮影方向情報として撮影ポイント情報３７３に蓄積するようにしてもよい。
なお、二次元バーコード３５２への変換（エンコード）は、この撮影方向情報を含めた撮影ポイント情報の全てを対象としてもよく、第２のマッチング処理における変形例で説明したように一部を変換対象とする場合には、図面Ｎｏ、指定位置情報及び撮影方向の組を変換対象とする。
【００５６】
なお、画面への方向指定矢印３５３の表示と選択によって撮影方向を指定する場合のほか、この変形例に対する更なる変形として、２点を指定することで方向を指定するようにしてもよい。この場合、タブレット端末３は、最初の指定点の位置を指定位置情報とし、最初の指定点から次の指定点の方向に対応する、画面上方向を０度とした場合の角度を求めて撮影方向情報とする。
また、タブレット端末３は、ポインタ３５１で指定した撮影ポイントから、ポインタ３５１をドラッグ（画面上を移動）した方向から、画面上方向を０度とした場合の角度を求めて撮影方向情報としてもよい。
この場合任意方向が指定可能であるため、タブレット端末３は、方向に対応した情報ではなく、実際に算出した角度が撮影情報として、撮影ポイント情報３７３に蓄積する。
【００５７】
次に、タブレット端末３において、撮影ポイント情報をコードに変換する場合の変形例について説明する。
説明した実施形態及び変形例では、タブレット端末３において、工事写真データを図面データに連携させるための情報として指定された撮影ポイントから撮影ポイント情報を作成し、これを二次元バーコード３５２に変換する場合について説明した。
これに対して、撮影によってデジタルカメラ４に取得させたい撮影ポイント情報の量にもよるが、例えば、一次元バーコード等の他の表現方法によりコード化してもよい。
【００５８】
図１３は、撮影ポイント情報をコード化する他の方法としてカラーバーコード（カメレオンコード）を使用する場合の説明図である。
タブレット端末３は、設計図を表示している画面で撮影ポイントがポインタ３５１で指定（図１２（ａ）参照）されると、これまでに説明したとの同様にして同様な内容の撮影ポイント情報を作成し、必要な撮影ポイント情報をカラーバーコードに変換して、図１３（ａ)に示すように、表示装置３５の表示画面全体に表示する。
このカラーバーコードは、水色、紫、黄、緑、赤、青、オレンジ等の各色素子を二次元の色配列で構成したもので、図１３（ａ）の例では、４色の色素子３５４を４行８列配置したもので、約１５京９４兆パターンの組合せが可能になる。
このカラーバーコードの場合、二次元バーコード３５２の場合と異なり、例えば、１９０万画素の画像であればその０．１％程度の大きさでコードが含まれていれば認証可能である。
そこで、被写体である実物と小黒板とを一緒に撮影していた従来と同様に、作業者は、表示装置３５全体にカラーバーコードが表示されたタブレット端末３を実物５の撮影箇所に置いて一緒に撮影する。
図１３（ｂ）は、実物５と共にタブレット端末３を写した撮影画像（工事写真データ）を表示したもので、実物５の実物画像５００と、タブレット端末３のカラーバーコード画像３００とが一緒に写されている。
【００５９】
このように、撮影画像中にカラーバーコード画像３００を含めることで、撮影ポイント情報を含んだ工事写真データとすることができる。
従って、説明した実施形態や変形例の場合には、撮影ポイント１箇所に対して最低２回の撮影（二次元バーコード３５２と工事写真データ）が必要になるが、カラーバーコードを一緒に写すことで撮影ポイント１箇所に対して１回の撮影で完了するため、撮影作業を効率化することができる。
カラーバーコードを使用する場合、撮影ポイント情報のうちの何を特定情報としてカラーバーコードの変換対象とするか、及びマッチング処理をどうするかについては、二次元バーコード３５２における上述の場合と同様にすることができる。
【００６０】
次に、作業者による撮影ポイントの指定に関する変形例について図１４を参照して説明する。
説明した実施形態及び各変形例では、タブレット端末３の表示装置３５に設計図を表示し、その表示画面上において作業者が撮影ポイントを指定する場合について説明した。
この変形例では、作業者が撮影ポイントを指定するのではなく、タブレット端末３は、撮影位置と撮影方向を予め指定した撮影ポイント情報を図面データと共に、又は撮影ポイント情報を属性情報とする図面データを工事写真連携サーバ２から取得する。
そしてタブレット端末３は、図１４に示すように、設計図２Ａと共に、矢印で示した撮影ポイントアイコン３５５を表示装置３５に表示する。
【００６１】
作業者は、表示された撮影箇所に対応する撮影ポイントアイコン３５５を選択し、タブレット端末３は選択された撮影ポイントアイコン３５５に対応する撮影ポイント情報を二次元バーコード３５２やカラーバーコードに変換する。
ここで撮影ポイント情報のうち、図面Ｎｏ、撮影位置情報、撮影方向は工事写真連携サーバ２から取得しているので、撮影ポイントアイコン３５５が選択された日時が指定日時として追加、蓄積される。工事写真連携サーバ２はこれらの撮影ポイント情報の全て、又は一部をカラーバーコードに変換する。
なお、タブレット端末３は、選択済みの撮影ポイントアイコン３５６に示すように（図１４参照）、未選択の撮影ポイントアイコン３５５と色を変更したり、濃度を変える（選択済みを薄く）するなどして識別可能に表示する。なお、選択済みの撮影ポイントアイコン３５６については、再度の選択ができないようになっているが、再度撮影したい場合もあるので、選択済みであることを識別可能に表示するが再選択を可能にしてもよい。
【符号の説明】
【００６２】
１  工事写真連携システム
２  工事写真連携サーバ
２１  ＣＰＵ
２２  ＲＯＭ
２３  ＲＡＭ
２４  通信装置
２５  表示装置
２６  入力装置
２７  記憶装置
２７１  図面・工事写真連携プログラム
２７２  図面ＤＢ
２７３  連携工事写真データ
２７４  作業者ＤＢ
２８  時計
３  タブレット端末（工事写真連携補助装置）
３１  ＣＰＵ
３２  ＲＯＭ
３３  ＲＡＭ
３４  通信装置
３５  表示装置
３５１  ポインタ
３５２  二次元バーコード
３５５  撮影ポイントアイコン（未選択）
３５６  撮影ポイントアイコン（選択済み）
３６  入力装置
３７  記憶装置
３８  時計
４  デジタルカメラ（撮像装置）
【図１】
0005823796.tif 000002
【図２】
0005823796.tif 000003
【図３】
0005823796.tif 000004
【図４】
0005823796.tif 000005
【図５】
0005823796.tif 000006
【図６】
0005823796.tif 000007
【図７】
0005823796.tif 000008
【図８】
0005823796.tif 000009
【図９】
0005823796.tif 000010
【図１０】
0005823796.tif 000011
【図１１】
0005823796.tif 000012
【図１２】
0005823796.tif 000013
【図１３】
0005823796.tif 000014
【図１４】
0005823796.tif 000015